(57)【特許請求の範囲】
【請求項１】
左右に長い樋状板の左右両端に側壁を設け、左右いずれか一方の側壁より内側へ所定の間隔離して突板を前記樋状板の円周方向に延びるように設け、他方の側壁近くの前記樋状板の底面を樋状板の内部側へ陥凹させて溝を樋状板の内周方向に延びるように設け、しかも他方側壁近くの内部側へ陥凹させた前記溝に一方側壁の前記突板が嵌入可能な寸法形状とし、前記樋状板の下部に左右方向に延びた長い通水溝を設け、通水溝上端に通水孔のある底面蓋を設け、通水溝の両端の樋状板の部分から外部に突出する突出管を設けた栽培容器。
【請求項２】
樋状板の内側下部を仕切る仕切り板を樋状板の内周方向に延びるように設けた請求項１記載の栽培容器。
【請求項３】
突板を設けた側壁から離れる方向に突板から所定の間隔離して樋状板の内側下部を仕切る仕切り板を樋状板の内周方向に延びるように設けた請求項１又は２に記載の栽培容器。
【請求項４】
樋状板の下部に設けた通水溝の下面が接地しないように樋状板の下面に土台部を設けた請求項１〜３いずれかに記載の栽培容器。
【請求項５】
樋状板の一箇所又は数箇所に栽培用棒材を差し込むようにして取り付けることができるガイド孔を設けた請求項１〜４いずれかに記載の栽培容器。
【請求項６】
仕切り板上部に温度調整用パイプを支持する支持溝を設けるようにした請求項２〜５いずれかに記載の栽培容器。
【請求項７】
請求項１〜６いずれかに記載の構造の栽培容器の突板と側壁の間を切断して、又はその栽培容器の金型の前記側壁内側位置に入れ子して樹脂成形してその側壁を排除した第１棚本体とし、請求項１〜６いずれかに記載の構造の栽培容器の溝のある側の側壁と溝との間を切断して、又はその栽培容器の金型の溝のある側の側壁の内側に入れ子して樹脂成形してその側壁を排除した第２棚本体とし、さらに請求項１〜６いずれかに記載の構造の栽培容器の突板と側壁の間を切断しかつ溝のある側の側壁と溝との間を切断して、又は栽培容器の金型の左右両方の側壁の内側位置それぞれに入れ子して樹脂成形して両側の側壁を排除した第３棚本体とし、第１棚本体の突板を第３棚本体の溝に嵌入して第１棚本体と第３棚本体を連結し、第３棚本体の突板を第２棚本体の溝に嵌入して第３棚本体と第２棚本体を連結し、近い突出管同士をチューブで連結して各通水溝を連結して一本の通水路を形成し、側壁を切除する位置と箇所を変えることで一形状の栽培容器から第１棚本体、第２棚本体、第３棚本体を製作して組み立てて栽培用の棚を形成するようにした栽培棚。
【請求項８】
第３棚本体の突板を別の第３棚本体の溝に嵌入するようにして複数の第３棚本体を連結したものを第１棚本体と第２棚本体の間に配置し、連結した複数の第３棚本体の両端を第１棚本体及び第２棚本体に連結した請求項７記載の栽培棚。
【請求項９】
通水路の排水側の一端にＬ字管を回転自在に取り付け、Ｌ字管を回転させて同Ｌ字管の排出口の突出管に対する上下位置を変更して内部に貯まる水の水位を調整できるようにした請求項７又は８に記載の栽培棚。
【発明の詳細な説明】
【０００１】
【発明の属する技術分野】
本発明は、作物の栽培を行う際に用いる栽培容器又は栽培棚に関する。
【０００２】
【従来の技術】
従来において、作物を長い栽培棚で育てるには所定の長さの栽培容器を連結して設置するものが多く用いられる。栽培棚は育てる作物に応じて設置する高さを変更することが多いので、軽くて丈夫なものがよく、水を流すので防水性のあるものがよいため樹脂製のものがよく使用される。製作コストを低くするために樹脂製の栽培容器は金型による成形によって製造される。栽培容器は連結される別の栽培容器との合わせ形状が合わないとうまく取り付けられない、水がもれることなどが起こるため形状に精度が要求される。栽培容器は比較的大きいので成形するための金型は大きくなり、精度も高いものが要求されるので、金型費は非常に高いものとなる。栽培棚を左右に長く設けた場合には左端部、中間部、右端部の３つの形状が必要となり、左端部，右端部をを共通化しても２つの形状が必要となる。よって金型は２つ又は３つが必要となり一個あたりに負荷される金型費は非常に大きくなっていた。
さらに、近年では省力化、生産性・品質の向上から養液栽培が多く行われているが、この養液は外部に排出されることが多かった。養液中の濃度の高い硝酸性窒素等が高濃度のまま排出されるため水質汚濁等の環境に与える影響が問題となっている。よって今後の栽培容器及び栽培棚には、養液栽培に使用した場合の養液の回収・循環のしやすさが求められている。
【０００３】
【発明が解決しようとする課題】
本発明が解決しようとする課題は従来のこれらの問題を解消し、コストを大きく抑制し、栽培に役立ち、環境にやさしい栽培容器及び栽培棚を提供することにある。
【０００４】
【課題を解決するための手段】
かかる課題を解決した本発明の構成は、
１）  左右に長い樋状板の左右両端に側壁を設け、左右いずれか一方の側壁より内側へ所定の間隔離して突板を前記樋状板の円周方向に延びるように設け、他方の側壁近くの前記樋状板の底面を樋状板の内部側へ陥凹させて溝を樋状板の内周方向に延びるように設け、しかも他方側壁近くの内部側へ陥凹させた前記溝に一方側壁の前記突板が嵌入可能な寸法形状とし、前記樋状板の下部に左右方向に延びた長い通水溝を設け、通水溝上端に通水孔のある底面蓋を設け、通水溝の両端の樋状板の部分から外部に突出する突出管を設けた栽培容器
２）  樋状板の内側下部を仕切る仕切り板を樋状板の内周方向に延びるように設けた前記１）記載の栽培容器
３）  突板を設けた側壁から離れる方向に突板から所定の間隔離して樋状板の内側下部を仕切る仕切り板を樋状板の内周方向に延びるように設けた前記１）又は２）に記載の栽培容器
４）  樋状板の下部に設けた通水溝の下面が接地しないように樋状板の下面に土台部を設けた前記１）〜３）いずれかに記載の栽培容器
５）  樋状板の一箇所又は数箇所に栽培用棒材を差し込むようにして取り付けることができるガイド孔を設けた前記１）〜４）いずれかに記載の栽培容器
６）  仕切り板上部に温度調整用パイプを支持する支持溝を設けるようにした前記２）〜５）いずれかに記載の栽培容器
７）  前記１）〜６）いずれかに記載の構造の栽培容器の突板と側壁の間を切断して、又はその栽培容器の金型の前記側壁内側位置に入れ子して樹脂成形してその側壁を排除した第１棚本体とし、前記１）〜６）いずれかに記載の構造の栽培容器の溝のある側の側壁と溝との間を切断して、又はその栽培容器の金型の溝のある側の側壁の内側に入れ子して樹脂成形してその側壁を排除した第２棚本体とし、さらに前記１）〜６）いずれかに記載の構造の栽培容器の突板と側壁の間を切断しかつ溝のある側の側壁と溝との間を切断して、又は栽培容器の金型の左右両方の側壁の内側位置それぞれに入れ子して樹脂成形して両側の側壁を排除した第３棚本体とし、第１棚本体の突板を第３棚本体の溝に嵌入して第１棚本体と第３棚本体を連結し、第３棚本体の突板を第２棚本体の溝に嵌入して第３棚本体と第２棚本体を連結し、近い突出管同士をチューブで連結して各通水溝を連結して一本の通水路を形成し、側壁を切除する位置と箇所を変えることで一形状の栽培容器から第１棚本体、第２棚本体、第３棚本体を製作して組み立てて栽培用の棚を形成するようにした栽培棚
８）  第３棚本体の突板を別の第３棚本体の溝に嵌入するようにして複数の第３棚本体を連結したものを第１棚本体と第２棚本体の間に配置し、連結した複数の第３棚本体の両端を第１棚本体及び第２棚本体に連結した前記７）記載の栽培棚。
９）  通水路の排水側の一端にＬ字管を回転自在に取り付け、Ｌ字管を回転させて同Ｌ字管の排出口の突出管に対する上下位置を変更して内部に貯まる水の水位を調整できるようにした前記７）又は８）に記載の栽培棚
にある。
【０００５】
【作用】
本発明では、樋状板と左右の側壁で囲まれる部分に土を入れ、苗を植えて育てることができる。このようにして栽培容器に植えた苗に水を与えた場合には、樋状板の下部に水がたまってしまうが樋状板の下部には、左右方向に延びた長い通水溝が設けられているので、水や養液などは通水溝に集まり、通水溝の両端の樋状板部分から外部に突出した突出管から外部に排出又は回収される。さらにこの栽培容器は、突板と側壁の間を切断したもの、溝と側壁の間を切断したもの、その両方を切断した３つの形状のものを１つの栽培容器から製作できる。
樋状板の内側下部を仕切る仕切り板を樋状板の内周方向に延びるように設けたものは、樋状板の内側に入れた土や内側下部にたまる水の移動を適度に止めることができる。
突板を設けた側壁から離れる方向に突板から所定の間隔離して樋状板の内側下部を仕切る仕切り板を樋状板の内周方向に延びるように設けたものは、突板と仕切り板によって樋状板の内周に沿った溝を形成することができる。
樋状板の下部に設けた通水溝の下面が接地しないように樋状板の下面に土台部を設けたものは、通水溝の下面が接地しないよう土台部を設けて土台部が接地するようにする。
樋状板の一箇所又は数箇所に栽培用棒材を差し込むように取り付けることができるガイド孔を設けたものは、ガイド孔に栽培用棒材を取り付けて、栽培用棒材で苗を支えたり、苗を支えるためのロープをはり渡したりできるようにする。
仕切り板上部に温度調整用パイプを支持する支持溝を設けるようにしたものは、支持溝によって温度調整用パイプを支持して、樋状板内側に温度調整用パイプを配置できるようにする。
一形状の栽培容器から第１棚本体、第２棚本体、第３棚本体を製作して組み立てて栽培用の棚としたものは、栽培容器の突板と側壁の間を切断して、又はその栽培容器の金型の前記側壁内側位置に入れ子して樹脂成形してその側壁を排除して第１棚本体とし、栽培容器の溝のある側の側壁と溝との間を切断して、又はその栽培容器の金型の溝のある側の側壁の内側位置に入れ子して樹脂成形してその側壁を排除して第２棚本体とし、さらに栽培容器の突板と側壁の間を切断しかつ溝のある側の側壁と溝との間を切断して、又は栽培容器の金型の左右両方の側壁の内側位置それぞれに入れ子して樹脂成形して両側の側壁を排除して第３棚本体とし、一形状の栽培容器から第１棚本体、第２棚本体、第３棚本体を製作できるようにしている。この第１棚本体の突板を第３棚本体の溝に嵌入して第１棚本体と第３棚本体を連結し、第３棚本体の突板を第２棚本体の溝に嵌入して第３棚本体と第２棚本体を連結して長い栽培棚として用いることができる。さらに近い突出管同士をチューブで連結して各通水溝を連結して一本の通水路を形成しているので、栽培棚の排水等を一本の通水路を管理することにより行うことができる。連結した複数の第３棚本体の両端を第１棚本体及び第２棚本体に連結したものは、第１棚本体と第２棚本体の間に連結する第３棚本体の個数を変更して、栽培棚の長さを自在に変更できる。
通水路の排水側の一端にＬ字管を回転自在に取り付けたものは、Ｌ字管を回転させて突出管の先端部分に対してＬ字管の排出口の上下位置を変更して、水位の違いによる圧力差を利用してＬ字管の排出口の上下位置に内部の水位を調整できるようにする。
【０００６】
【発明の実施の形態】
本発明の栽培容器，第１棚本体，第２棚本体，第３棚本体は、栽培容器の一体成形樹脂成型の金型を利用して製作することを普通とする。第１〜３棚本体は、金型で栽培容器成形後、その栽培容器の側壁内側から熔断方式の切断で切断して側壁部分を左側，右側，両側切除して製作する。又は栽培容器の金型の左・右又は両方の側壁内側に入れ子（金型内のキャビティ内に別の部材を入れて製品の一部を成形させないようにするための部材）を入れて側壁部分のないように成形して製作する方法でも製作できる。
作物としては、苺、きゅうり、トマト、花など様々なものがあり、栽培容器又は栽培棚に入れた土の中に温度調整用パイプを埋設でき、排水又は所定量の水を底部分に保てるので、高度に環境を調整した栽培を行うことができる。
突板は、所定の間隔で複数設けてもよく、強度向上だけでなく成形後の形状安定にも役立つものである。
突出管同士をつなぐ方法としては、チューブ、パイプ、直接突出管同士をつなぐ方法などがあり、簡単で確実に連結できるものが好ましい。
第１棚本体・第２棚本体・第３棚本体は、きつい嵌合によれば、嵌合部分が密着して防水性は高くなり、内部の水が多量に外部に洩れ出すことはないが、さらに防水性を高めるためにパッキンや接着剤などを用いてもよい。
栽培用棒材は背の高くなった苗や、実をつけて倒れそうになる苗を支えたり、誘引用支柱やビニールハウスを作る骨として用いたり、栽培用棒材の間にロープ等を張り渡してロープ等で苗が倒れるのを防ぐことなどに用いられる。
【０００７】
【実施例】
本発明の実施例について図面を参照して具体的に説明する。
図１〜１５に示すのは、樹脂製の樋状板に仕切り板を設け、さらに突板から所定の間隔離して別の仕切り板を設け、樋状板の下面に土台部を設け、樋状板の複数箇所にガイド孔を設け、仕切り板上部に温度調整用パイプを支持する支持溝を設けた栽培容器の例であって、栽培容器の側壁を切除する位置と箇所を変えることで一形状の栽培容器から第１棚本体、第２棚本体、第３棚本体を製作して組み立て、さらに通水路の排水側の一端にＬ字管を回転自在に取り付けた栽培棚の例である。
図１は実施例の栽培棚の説明図である。図２は実施例の栽培棚の栽培容器の平面図である。図３は図２のＡ−Ａ断面図である。図４は実施例の栽培棚の栽培容器の正面図である。図５は図２のＢ−Ｂ断面図である。図６は実施例の栽培棚の栽培容器の斜視図である。図７は実施例の栽培棚の栽培容器の斜視図である。図８は実施例の栽培棚の第１棚本体の断面図である。図９は実施例の栽培棚の第３棚本体の断面図である。図１０は実施例の栽培棚の第２棚本体の断面図である。図１１は実施例の栽培棚の連結状態を示す断面図である。図１２は実施例の栽培棚の連結状態を示す断面図である。図１３は実施例の栽培棚の突出管に取り付けたＬ字管の使用状態を示す説明図である。図１４は実施例の栽培棚の突出管に取り付けたＬ字管の使用状態を示す説明図である。図１５は実施例の栽培棚に設置した温度調整用パイプの状態を示す説明図である。
図中、１は栽培棚、２は栽培容器、２ａは樋状板、２ｂは側壁、２ｃは側壁、２ｄは突板、２ｅは仕切り板、２ｆはパイプ支持溝、２ｇは仕切り板、２ｈはパイプ支持溝、２ｉは仕切り板、２ｊは通水溝、２ｋは突出管、２ｌは突出管、２ｍはガイド孔、２ｎは土台部、２ｑはパイプガイド、２ｐは溝、６は第１棚本体、６ａは樋状板、６ｂは側壁、６ｃは側壁、６ｄは突板、６ｅは仕切り板、６ｇは仕切り板、６ｊは通水溝、６ｋは突出管、６ｌは突出管、６ｍはガイド孔、６ｐは溝、７は第２棚本体、７ａは樋状板、７ｂは側壁、７ｃは側壁、７ｄは突板、７ｅは仕切り板、７ｇは仕切り板、７ｊは通水溝、７ｋは突出管、７ｌは突出管、７ｍはガイド孔、７ｐは溝、８は第３棚本体、８ａは樋状板、８ｂは側壁、８ｃは側壁、８ｄは突板、８ｅは仕切り板、８ｇは仕切り板、８ｊは通水溝、８ｋは突出管、８ｌは突出管、８ｍはガイド孔、８ｐは溝、１１はチューブ、１２はＬ字管、１２ａは排出口、１５は栽培用棒材、１６は支持ロープ、１７は温度調整用パイプ、１８は防根布、１９は水切り板、１９ａは水切り孔、２０はマルチフィルム、２１は点滴管、２２は培地温センサー、２５はパイプ土台、２６は苺の苗、２７は土、２８は水である。
【０００８】
実施例では、金属製のパイプで組み立てたパイプ土台の上に栽培棚を設置して苺の苗を育てている。この実施例の栽培棚は一形状の栽培容器を切断して製作したものを連結したものである。栽培容器２は、図２〜７に示すように樋状に湾曲した左右に長い樋状板２ａの左右両端に側壁２ｂ，２ｃを設けて栽培のために用いる容器部分を形成している。樋状板２ａの前後端は図４，５に示すように下方に向って折り返すように湾曲させている。この栽培容器２の右端部分には、図２，３，７に示すように側壁２ｂから中央側に所定の左右間隔離れた位置に樋状板２ａの円周に沿って伸び下部に行くに従って樋状板２ａの内周面からの高さを高くした突板２ｄを設ける。次に、側壁２ｂから離れる方向に突板２ｄと所定の左右間隔離れた位置に樋状板２ａの円周に沿って延び、所定の高さまで樋状板２ａの下部を仕切る仕切り板２ｅを設ける。さらに仕切り板２ｅには、図５に示すようにパイプを支持できる形状に凹んだパイプ支持溝２ｆを２箇所に設ける。次に、図２，３，６に示すように側壁２ｃから中央側に所定の左右間隔が離れた位置の樋状板２ａの外周に樋状板２ａの円周に沿って延びた溝２ｐを形成するように樋状板２ａ内側に向って陥凹させる。さらにこの溝２ｐを形成するために陥凹させることにより樋状板２ａ内側に形成された凸部上に、樋状板２ａの内周方向に延び、所定の高さまで樋状板２ａの下部を仕切る仕切り板２ｇを設ける。仕切り板２ｇには、パイプを支持できる形状に凹んだパイプ支持溝２ｈを２箇所に設ける。次に樋状板２ａの下部に左右に長い通水溝２ｊを形成するように樋状板２ａの下部を左右に長く外側に向って陥凹させる。さらに、通水溝２ｊを囲む長方形状に、樋状板２ａの内周から外側に向ってわずかに陥凹させて段差を設ける。次に図２，３，５に示すように樋状板２ａの中央部分の通水溝２ｊの左右に仕切り板２ｅ，２ｇのパイプ支持溝２ｆ，２ｈで支持したパイプの左右の動きを支持できるパイプガイド２ｑを設ける。パイプガイド２ｑの前後には、樋状板２ａの内周方向に延びた仕切り板２ｉを設ける。次に図３，４，６に示すように樋状板２ａの内周側から外周側に向って陥凹させて設けた通水溝２ｊの樋状板２ａの外部への凸状部分が直接接地しないように、この凸状部分下端より下方に接地する底面を設けて樋状板２ａを支持できる土台部２ｎを設ける。次にこの通水溝２ｊの両端でかつ土台部２ｎの両端となる部分に左右方向への貫通孔を設け、この土台部２ｎから左右方向に突出するように突出管２ｋ，２ｌを設ける。次に樋状板２ａの前後両端に近い部分の１４箇所に図２，５に示すように大小２種類の貫通したガイド孔２ｍを設けるように樋状板２ａを陥凹させる。このように栽培容器２は通水溝２ｊやガイド孔２ｍ及び溝２ｐを陥凹させた形状で設け、仕切り板２ｅ，２ｇ，２ｉ，突板２ｄ，土台部２ｎを所定厚さの板状にして設けることによって全体がほぼ均一な肉厚で構成されている。よって樹脂製の栽培容器２を成形で製作する際に湯回りがよく、成形後の歪み等が少ない良好な生産性を得ることができる。
この栽培容器２は単体でも使用することができるが、複数の栽培容器２の一部を切除することによって連結して栽培棚１として用いることができる。
【０００９】
この栽培容器を連結させて栽培棚１として用いるには、図８に示すように突板６ｄに近い側壁６ｂと側壁６ｂと突板６ｄの間の樋状板６ａの一部を切除して第１棚本体を製作する。次に図１０に示すように別の栽培容器の溝７ｐに近い側壁７ｃと側壁７ｃと溝７ｐの間の樋状板７ａの一部を切除して第２棚本体を製作する。次に図９に示すように別の栽培容器の突板８ｄに近い側壁８ｂと側壁８ｂと突板８ｄの間の樋状板８ａの一部を切除し、さらに溝８ｐに近い側壁８ｃと側壁８ｃと溝８ｐの間の樋状板８ａの一部を切除して第３棚本体を製作する。
第１棚本体６，第２棚本体７，第３棚本体８を製作したならば、第１棚本体６の突板６ｄを、第３棚本体８の溝８ｐに嵌入するようにして第１棚本体６と第３棚本体８を連結する。突板６ｄから所定の間隔中央側には仕切り板６ｅが設けられているので、第３棚本体８の溝８ｐの側壁でかつ第３棚本体８の端部分が突板６ｄと仕切り板６ｅの間に嵌入される。よってさらに確実に連結される。次に第１棚本体６と第３棚本体８が直結したことによって近くに位置する第１棚本体６の突出管６ｋと第３棚本体８の突出管８ｌをチューブ１１で連結する。これによって第１棚本体６の通水溝６ｊと第３棚本体８の通水溝８ｊが連結したことになる。
次に第１棚本体６と連結した第３棚本体８の他端部分に第２棚本体７を取り付ける。第３棚本体８の突板８ｄを第２棚本体７の溝７ｐに嵌入するようにして第３棚本体８と第２棚本体７を連結する。突板８ｄから所定の間隔中央側には仕切り板８ｅが設けられているので、第２棚本体７の溝７ｐの側壁でかつ第２棚本体７の端部分が突板８ｄと仕切り板８ｅの間に嵌入される。次に第２棚本体７と第３棚本体８が連結したことによって近くに位置する第２棚本体７の突出管７ｌと第３棚本体８の突出管８ｋをチューブ１１で連結する。これによって第３棚本体８の通水溝８ｊと第２棚本体７の通水溝７ｊが連結したことになる。連結された通水溝６ｊ，７ｊ，８ｊが一本の通水路を形成する。
【００１０】
このようにして栽培容器を連結して栽培棚としたならば、図１２に示すように第２棚本体７の突出管７ｋにＬ字管１２を回転自在に取り付け、通水路のもう一方の端部となる突出管６ｌは塞ぐ。
この栽培棚１をあらかじめ設置したパイプ土台２５の上に取り付ける。次に図１に示すように第３棚本体８の通水溝８ｊの上部で樋状板８ａとの間に設けた段差部分に複数の水切り孔１９ａを備えた左右に長い水切り板１９を取り付ける。さらに第１棚本体６，第２棚本体７にも同様に水切り板１９を取り付ける。次に図１，１５に示すように第１棚本体６の側壁６ｃに２つの貫通孔を設け、長いＵ字状に折曲した温度調整用パイプ１７をその貫通孔に通して取り付け、第１棚本体６の仕切り板６ｅ，６ｇ、第２棚本体７の仕切り板７ｅ，７ｇ、第３棚本体８の仕切り板８ｅ，８ｇにそれぞれ設けられたパイプ支持溝に嵌入して、取り付ける。この温度調整用パイプの端部には温度調整用の送水装置が取り付けられる。次に栽培棚１の温度調整用パイプ１７の上から覆うようにして防根布１８を図１に示すように栽培棚１の内周に取り付ける。次に図１，１５に示すように栽培棚１に所定の量の土２７を入れ、土２７の表面に点滴管２１を施設し、土の表面を覆い栽培棚１の側方に垂らすようにして主に保温用として用いられる栽培用のマルチフィルム２０を取り付ける。次にマルチフィルム２０及び土２７に差し込むようにして培地温センサー２２を取り付ける。次に栽培棚１の複数のガイド孔２ｍに栽培用棒材１５をそれぞれ取り付ける。栽培用棒材１５の途中及び上部にはリング状に栽培用棒材１５を曲げた部分を設ける。次に図１，１５に示すようにこの栽培用棒材１５のリング状の中を通すようにして支持ロープ１６を取り付け、栽培棚１に沿って支持ロープ１６が張り渡されるようにする。
【００１１】
図１に示すようにこの栽培棚１に苺の苗２６を植えて栽培する。培地温センサー２２によって検知した土２７の温度が苺の苗２６を育てるのに適した温度より低い場合には、温度調整用パイプ１７に温水を送って土２７を温める。土２７は保温効果の高いマルチフィルム２０で上から覆っているので効率よく温められる。さらに、温度調整用パイプ１７はＵ字状にターンさせているので温度調整用パイプ１７の放熱面積は約２倍になり、さらに効率よく土が温められる。これとは逆に培地温センサー２２によって検知した土２７の温度が苺の苗２６を育てるのに適した温度より高い場合には、温度調整用パイプ１７に水又は冷水を通すことによって土２７を冷やせばよい。このように本実施例の栽培棚１はきめの細い環境調整を行ってよりよい環境で栽培を行うことができる。苗に点滴管２１により与えた水のうち、土２７に吸収されず底部に流れたものは、水切り板１９ａの水切り孔１９から通水溝６ｊ，７ｊ，８ｊに流れて、図１２に示すように突出管７ｋに取り付けられたＬ字管１２の排出口１２ａより外部に排出されて回収される。さらにこのＬ字管１２は突出管７ｋに回転自在に取り付けられているので、突出管７ｋに対して回転させてＬ字管１２の排出口１２ａを突出管７ｋにより上方に位置させることによって所定の高さまで水２８を栽培棚１の内部に溜めておくことができる。さらに栽培して収穫後、葉や茎を切断して、栽培棚１内に水を深く貯めて栽培棚１の土に残した根を腐らせる。その後、温度調整用パイプ１７に８５℃程の温熱水を送って、土の温度を６０℃以上にして高温殺菌する。その後、温熱水を排出させると、次年度定植まで培土は乾燥する。次の定植時は培土は極度に乾燥している。その定植前に栽培棚に水を張り乾燥した培土に含水させる。通常極度に乾燥した栽培用培土は溌水性が高くなっている為栽培棚に充分に水を張り強制含水させる必要がある。実施例では、支持ロープ１６によって苺の苗を支え苺の葉が苗の上に被さるようにし、苗がつけた実のみを支持ロープ１６より外側のマルチフィルム２０の上に載せ、日光にさらして実の着色を促進するようにする。さらにパイプ土台２５によって栽培棚１を所定の高さに設置することによって、苗がつけた実を人が点検・収穫しやすい高さに保持して作業を楽にする。この栽培棚１の長さを変える際には、中間に第３棚本体８を継ぎ足すか又は取りはずすようにすればよいので簡単に行うことができ、長い間使用できまた、スペースを有効に活用することができる。さらに本実施例の栽培棚１を構成する第１棚本体６，第２棚本体７，第３棚本体８は一形状の栽培容器２の一部分を切除して製作される。よって本実施例のように樹脂製の栽培容器２の場合などのように成形で製作される場合には、第１棚本体６，第２棚本体７，第３棚本体８でそれぞれ成形型を用意する必要がなく成形型は一形状で済むこととなる。成形型は高額なため大きなコストダウンとなる。よってコストを非常に抑えた栽培棚にできる。
さらに本実施例の栽培棚を養液栽培に使用する場合にも通水溝によって、使用した養液を回収又は再利用のための循環を容易に行える。よって排出養液の環境基準をクリアできるよう容易に対応でき環境にやさしい栽培棚として使用できる。
【００１２】
図１６に示すのは実施例の栽培容器及び栽培棚の他の例である。
図１６は実施例の栽培棚の栽培容器の他の例の断面図である。
実施例の他の例では図１６に示すように栽培棚に一本の直線状の温度調整用パイプ１７を設けるようにし、これに対応して仕切り板２ｅには１つのパイプ支持溝２ｆを設け、パイプガイド２ｑも一本の直線状の温度調整用パイプ１７に対応して通水溝２ｊの両側に１つずつ設けている。このように温度調整用パイプは、どのようなものでもかまわない。
その他符号、構成、作用、使い方は実施例と同じである。
図１７，１８に示すのは実施例の栽培容器及び栽培棚の他の例である。
図１７は実施例の栽培容器及び栽培棚の他の例の成形状態を示す説明図である。図１８は実施例の栽培容器及び栽培棚の他の例の成形状態を示す説明図である。
図中、３０は金型上部、３１は金型下部、３２，３３は金型スライド部、３４，３５は入れ子である。
実施例の他の例では樹脂を成形する金型に入れ子を用いることによって、その後に切断することなく栽培容器，第１棚本体，第２棚本体，第３棚本体を製作できるようにしている。
金型は、金型上部３０，金型下部３１を合わせるとその間に成形する空間を形成するように凹部を備えている。さらに左右の突出管の部分を形成するために左右方向にスライドする金型スライド部３２，３３を設けている。さらに、左右の側壁を設けないよう成形空間の一部を塞ぐ入れ子３４，３５を設ける。入れ子３４，３５は金型上部３０に脱着自在に取り付けられる。
この金型を用いて栽培容器２を成形で製作するには、金型上部３０に入れ子３４，３５を取り付けないようにして図１７（ａ），図１８（ａ）に示すように成形を行えばよい。
次にこの金型を用いて第１棚本体６を成形で製作するには、金型上部３０に入れ子３５を取り付け、入れ子３４は取り付けないようにして図１７（ａ），図１８（ｂ）に示すように左端部分は側壁６ｃがあり、右端には側壁のないように成形を行えばよい。
次にこの金型を用いて第２棚本体７を成形で製作するには、金型上部３０に入れ子３４を取り付け、入れ子３５は取り付けないようにして図１７（ｂ），図１８（ａ）に示すように左端部分には側壁がなく、右端には側壁７ｂがあるように成形を行えばよい。
次にこの金型を用いて第３棚本体８を成形で製作するには、金型上部３０に入れ子３４，３５を両方取り付け、図１７（ｂ），図１８（ｂ）に示すように左端及び右端の両方に側壁がないように成形を行えばよい。このように入れ子を用いることによって入れ子を取り付ける状態と取り付けない状態の組み合わせによって栽培容器２，第１棚本体６，第２棚本体７，第３棚本体８を成型のみで製作するようにすれば、特に生産個数が多い場合に低コストで製作できる。
その他符号、構成、作用、使い方は実施例と同じである。
【００１３】
【発明の効果】
本発明によれば、コストを大きく抑制し、栽培に役立つ栽培容器にできる。
樋状板の内側下部を仕切る仕切り板を樋状板の内周方向に延びるように設けたものは、土や水が偏るように流れるようなことがないようにできる。
また、排液回収機能を持つことによりたれ流しはなく環境基準をクリア出来る。
突板を設けた側壁から離れる方向に突板から所定の間隔離して樋状板の内側下部を仕切る仕切り板を樋状板の内周方向に延びるように設けたものは、さらに確実に栽培棚を形成する際に連結できるようにする。
樋状板の下部に設けた通水溝の下面が接地しないように樋状板の下面に土台部を設けたものは、丈夫で安心して使用できるようにする。
樋状板の一箇所又は数箇所に栽培用棒材を差し込むように取り付けることができるガイド孔を設けたものは、ガイド孔によって苗を支えたり、誘引等を行う支柱を倒れないように確実に保持し、かつ差し込みで取り付けるので、作業性もよくできる。
仕切り板上部に温度調整用パイプを支持する支持溝を設けるようにしたものは、簡単に温度調整用パイプを取り付けてより適した環境で栽培できるようにする。
一形状の栽培容器から一部のカッティングによって第１棚本体，第２棚本体，第３棚本体を製作して組み立てて栽培用の棚としたものは、必要に応じて段階的に自在に長さを変更でき、さらに一つの金型から第１棚本体，第２棚本体，第３棚本体を製作できるのでコストを大幅に低減できる。又は、一つの金型と入れ子の組み合わせによって第１棚本体，第２棚本体，第３棚本体を製作してコストを大幅に低減できる。
連結した複数の第３棚本体の両端を第１棚本体及び第２棚本体に連結したものは、必要に応じて栽培棚の長さを自在に変更して有効にスペースを活用できる。通水路の排水側の一端にＬ字管を回転自在に取り付けたものは、さらに栽培に適した環境にできる。
【図面の簡単な説明】
【図１】実施例の栽培棚の説明図である。
【図２】実施例の栽培棚の栽培容器の平面図である。
【図３】図２のＡ−Ａ断面図である。
【図４】実施例の栽培棚の栽培容器の正面図である。
【図５】図２のＢ−Ｂ断面図である。
【図６】実施例の栽培棚の栽培容器の斜視図である。
【図７】実施例の栽培棚の栽培容器の斜視図である。
【図８】実施例の栽培棚の第１棚本体の断面図である。
【図９】実施例の栽培棚の第３棚本体の断面図である。
【図１０】実施例の栽培棚の第２棚本体の断面図である。
【図１１】実施例の栽培棚の連結状態を示す断面図である。
【図１２】実施例の栽培棚の連結状態を示す断面図である。
【図１３】実施例の栽培棚の突出管に取り付けたＬ字管の使用状態を示す説明図である。
【図１４】実施例の栽培棚の突出管に取り付けたＬ字管の使用状態を示す説明図である。
【図１５】実施例の栽培棚に設置した温度調整用パイプの状態を示す説明図である。
【図１６】実施例の栽培棚の栽培容器の他の例の断面図である。
【図１７】実施例の栽培容器及び栽培棚の他の例の成形状態を示す説明図である。
【図１８】実施例の栽培容器及び栽培棚の他の例の成形状態を示す説明図である。
【符号の説明】
１  栽培棚
２  栽培容器
２ａ  樋状板
２ｂ  側壁
２ｃ  側壁
２ｄ  突板
２ｅ  仕切り板
２ｆ  パイプ支持溝
２ｇ  仕切り板
２ｈ  パイプ支持溝
２ｉ  仕切り板
２ｊ  通水溝
２ｋ  突出管
２ｌ  突出管
２ｍ  ガイド孔
２ｎ  土台部
２ｑ  パイプガイド
２ｐ  溝
３  欠番
４  欠番
５  欠番
６  第１棚本体
６ａ  樋状板
６ｂ  側壁
６ｃ  側壁
６ｄ  突板
６ｅ  仕切り板
６ｇ  仕切り板
６ｊ  通水溝
６ｋ  突出管
６ｌ  突出管
６ｍ  ガイド孔
６ｐ  溝
７  第２棚本体
７ａ  樋状板
７ｂ  側壁
７ｃ  側壁
７ｄ  突板
７ｅ  仕切り板
７ｇ  仕切り板
７ｊ  通水溝
７ｋ  突出管
７ｌ  突出管
７ｍ  ガイド孔
７ｐ  溝
８  第３棚本体
８ａ  樋状板
８ｂ  側壁
８ｃ  側壁
８ｄ  突板
８ｅ  仕切り板
８ｇ  仕切り板
８ｊ  通水溝
８ｋ  突出管
８ｌ  突出管
８ｍ  ガイド孔
８ｐ  溝
９  欠番
１０  欠番
１１  チューブ
１２  Ｌ字管
１２ａ  排出口
１３  欠番
１４  欠番
１５  栽培用棒材
１６  支持ロープ
１７  温度調整用パイプ
１８  防根布
１９  水切り板
１９ａ  水切り孔
２０  マルチフィルム
２１  点滴管
２２  培地温センサー
２３  欠番
２４  欠番
２５  パイプ土台
２６  苺の苗
２７  土
２８  水
２９  欠番
３０  金型上部
３１  金型下部
３２  金型スライド部
３３  金型スライド部
３４  入れ子
３５  入れ子
【図１】
0004087015.tif 000002
【図２】
0004087015.tif 000003
【図３】
0004087015.tif 000004
【図４】
0004087015.tif 000005
【図５】
0004087015.tif 000006
【図６】
0004087015.tif 000007
【図７】
0004087015.tif 000008
【図８】
0004087015.tif 000009
【図９】
0004087015.tif 000010
【図１０】
0004087015.tif 000011
【図１１】
0004087015.tif 000012
【図１２】
0004087015.tif 000013
【図１３】
0004087015.tif 000014
【図１４】
0004087015.tif 000015
【図１５】
0004087015.tif 000016
【図１６】
0004087015.tif 000017
【図１７】
0004087015.tif 000018
【図１８】
0004087015.tif 000019